(57)【特許請求の範囲】
【請求項１】
券媒体がかざされる読取り領域、およびこの読取り領域に開口する開口部を有する本体と、
前記読取り領域内で前記開口部の周囲に設けられた無線アンテナを有し、無線通信部を有する第１券媒体と無線通信を行い第１券媒体から情報を読取る無線リーダーと、
前記開口部の下方に設けられ前記開口部を通して２次元コードを有する第２券媒体に光を照射する光源を有し、前記開口部を通して前記第２券媒体から２次元コードに応じた情報を読み取る２次元コードリーダーと、
前記開口部の周囲で前記読取り領域に設けられた導光体と、この導光体に光を入射して導光体を発光させる光源と、を有する発光部と、
を備える読取り装置。
【請求項２】
前記読取り領域への券媒体の接近を検知する接近センサを備える請求項１に記載の読取り装置。
【請求項３】
前記接近センサによる券媒体の接近検知に基づいて、前記無線リーダーおよび２次元コードリーダーによる読取りを行う請求項２に記載の読取り装置。
【請求項４】
前記接近センサによる券媒体の接近検知に基づいて、前記発光部により前記読取り領域を発光させる請求項２に記載の読取り装置。
【発明の詳細な説明】
【技術分野】
【０００１】
この発明の実施形態は、非接触券媒体から情報を読取る読取り装置および読み取り方法に関する。
【背景技術】
【０００２】
近年、改札処理の省力化を目的として、改札機が導入されている。この改札機は、利用者が駅構内や遊戯施設などの施設内に入場する場合や、施設内から出場する場合などに、入場券、プリペイドカード、定期券、乗車券、搭乗券などの磁気式の券媒体を取り込み、券媒体に磁気記録された改札情報に基づいて利用者の通行を許可するか否かの改札処理を行う。改札機は、改札情報の読み取り結果に基づき、運賃不足、期限切れ、区間外乗車等の理由から改札否と判定すると、ドアの開閉を制御し乗客を駅構内に入場させない、駅構外に出場させない、または乗り換えを許可しないようにする。取り込んだ券媒体は、必要に応じて返却または回収される。
【０００３】
また、近年では、非接触式の券媒体として、例えば、無線ＩＣカードのような無線式の券媒体を取り扱う改札機が導入されている（例えば、特許文献１）。このような無線式対応の改札機は無線リーダー／ライタを備え、券媒体との間で無線通信を行い、非接触で券媒体から読み取った改札情報に基づいて利用者の通行を許可するか否かの改札処理を行う。
【０００４】
更に、非接触式の券媒体として、バーコードが記載された券媒体を取り扱う改札機が提案されている（例えば、特許文献２、３）。このような改札機はバーコードリーダーを備え、バーコードリーダーにより非接触で券媒体からバーコードを読み取る。そして、改札機は、読み取ったバーコードに基づく改札情報に応じて、利用者の通行を許可するか否かの改札処理を行う。
【先行技術文献】
【特許文献】
【０００５】
【特許文献１】特開２００２−３１２８１２号公報
【特許文献２】特開平５−１６６０２３号公報
【特許文献３】特開平９−６９１７４号公報
【発明の概要】
【発明が解決しようとする課題】
【０００６】
上記のような非接触式の券媒体は、磁気式の券媒体に比較して利便性に優れていることから、近年では、磁気式から非接触式の券媒体への切換えが進んでいる。上述したような２種類の非接触式券媒体を利用可能とする場合、改札機は、無線式券媒体を読み取る無線式リーダー／ライタ、およびバーコードリーダーを備えている必要がある。例えば、無線式リーダー／ライタおよびバーコードリーダーを並べて配置した場合、券媒体をかざす読み取り位置が、無線式リーダー／ライタ用読み取り位置とバーコードリーダー用読み取り位置との２箇所となる。そのため、利用者は、券媒体をいずれの読み取り位置にかざすべきか困惑を生じ、誤操作が生じ易いとともに利便性が低下する。同時に、無線式リーダー／ライタおよびバーコードリーダーを並べて配置した場合、改札機を小型化する上で障害となる。
【０００７】
この発明は、上述した問題点に鑑みなされたものであって、その目的は、複数種類の非接触券媒体から情報を効率良く読取ることが可能な読取り装置及び読取り方法を提供することにある。
【課題を解決するための手段】
【０００８】
実施形態によれば、読取り装置は、券媒体がかざされる読取り領域、およびこの読取り領域に開口する開口部を有する本体と、前記読取り領域内で前記開口部の周囲に設けられた無線アンテナを有し、無線通信部を有する第１券媒体と無線通信を行い第１券媒体から情報を読取る無線リーダーと、前記開口部の下方に設けられ前記開口部を通して２次元コードを有する第２券媒体に光を照射する光源を有し、前記開口部を通して前記第２券媒体から２次元コードに応じた情報を読み取る２次元コードリーダーと、前記開口部の周囲で前記読取り領域に設けられた導光体と、この導光体に光を入射して導光体を発光させる光源と、を有する発光部と、を備えている。
【図面の簡単な説明】
【０００９】
【図１】図１は、この発明の実施形態に係る改札システムの構成を概略的に示すブロック図。
【図２】図２は、この発明の実施形態に係る改札機の外観を示す斜視図。
【図３】図３は、上記改札機に用いる無線式の第１券媒体を示す平面図。
【図４】図４は、上記改札機に用いる非接触式の第２券媒体の一例を示す平面図。
【図５】図５は、上記改札機に用いる非接触式の第２券媒体の一例を示す平面図。
【図６】図６は、上記改札機の内部構造を概略的に示す側面図。
【図７】図７は、上記改札機における読取り部を示す斜視図。
【図８】図８は、上記改札機における読取り部を示す側面図。
【図９】図９は、上記改札機の制御系の構成を概略的に示すブロック図。
【図１０】図１０は、上記改札機の処理動作を示すフローチャート。
【図１１】図１１は、上記改札機の処理動作を示すフローチャート。
【図１２】図１２は、この発明の他の実施形態に係る簡易型の改札機を一部破断して示す側面図。
【発明を実施するための形態】
【００１０】
以下、この発明の実施形態に係る読取り装置を備えた改札機及び改札方法について図面を参照して説明する。
【００１１】
図１は、本実施形態に係る改札機を備えた改札システム全体を示している。図１に示すように、改札システムは、監視装置として機能するホストコンピュータ１０を備えている。このホストコンピュータ１０は、例えば、駅あるいは空港の搭乗口に設置された複数の改札機１００−１、１００−２…と通信回線２０を介して接続され、これらの改札機１００を監視する。
【００１２】
ホストコンピュータ１０は、装置全体を制御するとともに下位に接続された各種機器を制御するものであって、複数の改札機１００を統括して制御するＣＰＵ１１を有している。このＣＰＵ１１には、メモリ部１２、表示部１３、入力部１４、通信制御部１５などが接続されている。
【００１３】
メモリ部１２は、ホストコンピュータ１０自体及び改札機１００などの下位の機器を制御するための制御データを含む各種データを記憶している。表示部１３は、ホストコンピュータ１０自体の動作状態、下位の機器の動作状態などを表示する。入力部１４は、各改札機１００の動作モードなど種々の情報を入力するためのキーボードや、接触を検知したのに基づいて対応する情報を出力するタッチパネルなどを有している。通信制御部１５は、下位の機器との間で通信回線２０を介して種々の情報の送受信を行う。
【００１４】
次に、図１に示した改札システムに適用可能な改札機１００の構成について説明する。図２は改札機１００の外観を示している。図２に示す改札機は、通常、２台１組として設置され、両者の間に利用者が通行可能な改札通路が形成される。入場処理や出場処理どの改札処理を行う改札機で利用可能な券媒体としては、通信部を有した無線式の第１券媒体およびバーコードが記載された非接触式の第２券媒体を対象とし、より具体的には、普通乗車券、定期券、特急券、回数券、入場券、搭乗券、プリペイドカードなどの非接触式および無線式の券媒体を対象としている。
【００１５】
図３は、第１券媒体の一例として、無線ＩＣカードＣを示している。無線ＩＣカードＣは、略矩形状の本体Ｃ１、本体に内蔵され券類情報等を記憶したＩＣチップＣ２、券売機、精算機、改札機などの各種駅務機器との間で無線通信を行う通信部としてのアンテナＣ３などを備えている。無線ＩＣカードＣに記憶された券類情報には、券類固有の識別情報（ＩＤ）の他に、利用者の氏名、住所、性別、年齢などの個人情報や、利用区間、有効期限、チャージされた金額（残額）などの改札処理に必要な改札情報や、座席指定券を発行するのに必要な発行情報などの各種情報が含まれる。
【００１６】
図４は、第２券媒体の一例として乗車券Ｊを示している。乗車券Ｊの券面には、券媒体固有の識別情報、改札処理に必要な改札情報、例えば、利用可能な区間情報、有効期限情報、入場記録情報、出場記録情報、利用者情報などを示す二次元バーコードＪ１が印刷されている。また、乗車券Ｊの券面には、利用可能な区間情報、有効期限情報、券金額、座席番号、乗車便番号等が印字されている。
【００１７】
図５は、第２券媒体の一例として搭乗券Ｔを示している。搭乗券Ｔの券面には、券媒体固有の識別情報、改札処理に必要な改札情報、例えば、搭乗日付、時間、航空会社、便名利用者情報などを示す二次元バーコードＴ１が印刷されている。また、乗車券Ｊの券面には、券番号、搭乗日付を含む改札情報等が印字されている。
【００１８】
更に、第２券媒体として、携帯電話器等を用いることができる。この場合、予め予約サーバー等を通して取得した乗車券予約情報を携帯電話器に取り込み、改札情報を示す２次元バーコードを携帯電話器に表示画面に表示する。そして、バーコードの表示された携帯電話器を券媒体として利用することができる。
【００１９】
図２に示すように、改札機１００は、機器本体１を備えている。機器本体１は、投入口２、排出口３、表示灯４、表示部５、開閉自在なドア９０、券媒体がかざされる読取り領域６０に設けられた読取り部（読取り装置）６、スピーカ７、改札機の設定を変更するための操作盤８、人の通過を検知する複数の通過検知器９等を備えている。
【００２０】
投入口２は、筐体１における改札通路の上流側に設けられ、施設内への入場時または施設内からの出場時に投入された第２券媒体を受け取り可能である。投入口２の近傍には、券媒体の投入を阻止するためのシャッター７０が設けられている。また、排出口３は、筐体１における改札通路の下流側に設けられ、投入口２から受け取った券媒体を必要に応じて排出する。
【００２１】
表示部５は、利用者の通行方向に対して機器本体１における排出口３の前方に配置され、利用者や係員などに対して種々の案内情報、例えば改札処理の結果に対応した案内画面を所定の表示パターンで表示する。ドア９０は、機器本体１における改札通路側の側面の両端部に配置され、利用者の通行を制御するために開閉可能に構成されている。このドア９０は、利用者の通行を可能とする場合に改札通路を開放し、また、利用者の通行を阻止する場合に改札通路を閉鎖する。
【００２２】
複数の通過検知器９は、機器本体１の改札通路側における側面部に配置され、利用者の通行を検知するための出力信号を出力する。表示灯４は、小児券、無効券、または異常券の投入や、機器の異常など装置の動作状態を報知する。
【００２３】
図６は改札機の内部構造を示し、図１０は改札機のブロック図である。図６に示すように、改札機１００は、複数の搬送ローラおよび搬送ベルトを含み投入口２から投入された券媒体を搬送路に沿って排出口３あるいは後述の集札箱へ搬送する搬送機構と、投入口２の後段に設けられ投入された券媒体を所定の姿勢に整列する整列部３２と、投入された券媒体の表裏判定を行う表裏判定部３３と、投入させた券媒体が裏方向投入の際に券媒体を反転する反転部３４と、を備えている。
【００２４】
また、改札機１００は、搬送される券媒体に印刷された２次元バーコードを読み取るスキャナ２１を有したバーコード読取部３６と、サーマルヘッド２７を有し券媒体の券面に所望の情報を印刷する印刷部３７と、券媒体を排出口３へ放出する放出部３８と、券媒体を集札箱３５に集札する集札部３９と、を備えている。更に、改札機１００は、搬送路に沿って複数設けられ、券媒体の通過を検知する複数のセンサ４０、４１、４２、４３、４４、４５、４６、４７、４８、券媒体の搬送方向を切換える振り分けゲート２５、２６、搬送機構、振り分けゲート等を駆動するメインモータ５０等を備えている。
【００２５】
図２、図７および図８に示すように、読取り装置としての読取り部６は機器本体１における改札通路の上流側に配置され、読取り領域６０にかざされた券媒体から改札情報を読取る。この読取り部６は、無線式の券媒体との間で無線通信を行い券媒体から改札情報を読取るとともに、券媒体に所望の情報を書き込む無線リーダー／ライタ６２、バーコードの付された券媒体から非接触で２次元バーコードを読取るバーコードリーダー６４、および面発光部６６を備えている。
【００２６】
無線リーダー／ライタ６２は、平坦な矩形板状に形成された本体６７、および本体６７内に埋め込まれたループ状の無線アンテナ６８を有している。無線アンテナ６８は、本体６７の周縁部に沿って設けられている。本体６７の上面は、読取り領域６０内に位置しているとともに矩形状の第１読取り部６７ａを形成している。本体６７は、無線アンテナ６８に悪影響を及ぼさないように、合成樹脂等によって形成されている。また、本体６７の中央部には矩形状の開口部６５が貫通形成されている。無線アンテナ６８は、開口部６５の周囲に位置している。
【００２７】
バーコードリーダー６４は、無線リーダー／ライタ６２の開口部６５内に配設されている。すなわち、バーコードリーダー６４はほぼ角筒状の筐体７１を有し、この筐体は無線リーダー／ライタ６２の開口部６５に挿通されている。筐体７１の上端部は、読取り領域６０内に位置し、第２読取り部７２を形成している。筐体７１の上端開口は、例えばガラス等からなる透明なカバー板７３によって閉塞されている。カバー板７３を含む第２読取り部７２は、無線リーダー／ライタ６２の第１読取り部６７ａと面一に配設されていてもよいが、本実施形態によれば、第１読取り部から外方、ここでは、上方へ突出して設けられている。なお、筐体７１は、無線アンテナ６８に悪影響を及ぼさないように、合成樹脂等によって形成されていることが望ましい。
【００２８】
バーコードリーダー６４は、筐体７１内に配設された光源７４およびＣＣＤカメラ７６を備えている。光源７４は、第２読取り部７２にかざされた券媒体に、カバー板７３を通して照明光を照射する。ＣＣＤカメラ７６は、カバー板７３を通して券媒体を撮像する。筐体７１の上端には複数、例えば４つ接近センサ７５が設けられ、読取り領域６０に位置している。接近センサ７５は筐体７１の４隅に設けられ、カバー板７３の周囲に位置している。これらの接近センサ７５は、赤外線センサ等により構成され、読取り領域６０にかざされた券媒体を検知し、利用者による券媒体のかざし動作を認識する。
【００２９】
面発光部６６は、開口部６５を除き、第１読取り部６７ａの全面に重ねて設けられた導光板７７と、それぞれ導光板の両側縁に対向して設けられた光源７８とを有している。光源７８は、赤、青、緑に発光可能な複数のＬＥＤを並べて構成されている。導光板７７は、例えば多数のプリズムを有し、光源７８から出射された光を上面全体から上方に向けて出射する。面発光部６６は、任意の色、例えば、青で発光され、第１読取り部６７ａおよび第２読取り部７２を照明する。これにより、面発光部６６は、読取り領域６０のほぼ全体を発光させ、券媒体をかざす目標となる読取り領域６０を操作者に明示するとともに、かざされた券媒体を照明する。
【００３０】
図９は、改札機の全体構成を示すブロック図である。図９に示すように、改札機は、装置全体の制御を司るＣＰＵ２００を備えている。このＣＰＵ２００は、券媒体から読取った改札情報に基づいて改札処理を行う改札手段、さらには、無線リーダー／ライタ６２およびバーコードリーダー６４を含む読取り部６の動作を制御する制御部として機能する。
【００３１】
ＣＰＵ２００には、制御プログラムを記憶しているＲＯＭ２０１と、券媒体から読取った情報を記録し及び制御プログラムのバッファとして情報を記録するＲＡＭ２０２と、運賃情報等を記録している運賃メモリ２０３と、機器本体１内に投入された券媒体の２次元バーコードを読取るスキャナ２１を制御するスキャナ制御回路２０４と、読取り領域６０にかざされた券媒体の２次元バーコードを読取るバーコードリーダー６４、および無線リーダー／ライタ６２を有した読取り部６を制御するリーダー制御回路２０５と、無線リーダー／ライタ６２の無線アンテナ６８を介して送信するデータの変調及びアンテナ６８を介して受信したデータの復調を行う無線通信回路２２６と、接近センサ７５からの信号に基づいて券媒体のかざし動作を検知する検知回路２２８と、面発光部６６の光源（ＬＥＤ）７８の発光を制御するＬＥＤ駆動回路２３０とが接続されている。ＣＰＵ２００は、読取り部６及びスキャナ２１で読み取られた情報に基づいて改札処理を行い、利用者の改札機通過を許可できるか否かの判定を行う。
【００３２】
また、ＣＰＵ２００には、振り分けゲート２５、２６を制御する振り分け制御回路２０６と、サーマルヘッド２７を制御する印刷制御回路２０７と、反転ポケット２９を駆動する反転ポケット制御回路２０９と、センサ４０〜４８からの信号に基づいて券媒体の搬送状況を検知する検知回路２１０と、搬送機構を駆動するメインモータ５０を制御するモータ制御回路２１１と、投入口２への券媒体の投入を阻止するシャッター７０を駆動するシャッター駆動回路２１２とが接続されている。
【００３３】
更に、ＣＰＵ２００には、操作案内や改札処理の結果に対応した画像を表示するように表示部５を制御する表示回路２２０と、表示灯４を制御する表示灯駆動制御回路２２１と、音声案内を行うスピーカ７を制御する音声制御回路２２２と、通過検知器９の出力信号から利用者の通過を検知する通過検知回路２２３と、ドア９０の開閉を制御するドア制御回路２２４と、装置の各種設定を変更するための操作盤８を制御する操作盤制御回路２２５とが接続されている。また、ＣＰＵ２００には、通信制御部２３２が接続されている。この通信制御部２３２は、ＣＰＵ２００の制御に基づき、改札機１００より上位の機器、例えばホストコンピュータ１０との間で情報通信を行う。
【００３４】
次に、上述した改札機１００に適用可能な改札方法、特に、無線式の第１券媒体および２次元バーコードが付された非接触式の第２券媒体を利用した改札方法について説明する。まず、判定方法について説明する。
【００３５】
第２券媒体に印刷された２次元バーコードのデータは、個人ＩＤ、発券（予約）番号、金額、有効期間、有効区間、指定席情報等の入出場判定に必要な情報が全て含まれている。このデータを利用し、有効期限や有効期間等で入出場判定を行う。
【００３６】
また、空港等で搭乗便の搭乗者の管理を実施する際、センターサーバの予約情報と照合して判定を行う。つまり、個人ＩＤ、発券（予約）番号、指定席情報等を照合する。なおかつ、直前に電話等で予約を変更した場合は、所有している２次元バーコードのデータと変更後の予約情報が異なる可能性があるが、センターサーバで変更情報も保管されているため、入出場判定が可能である。
【００３７】
次に、改札機１００による改札方法について説明する。図１０に示すように、改札機１００は、面発光部６６を通常色、例えば、青色に発光させ、読取り領域６０を照明する（ＳＴ１）。これにより、利用者に対して、券媒体のかざし目標である読取り領域６０を明示し、利便性の向上およびかざし操作のご操作を抑制する。続いて、券媒体が投入口２に投入されたか否かを判別する（ＳＴ２）。券媒体が投入口２に投入されず、利用者によって券媒体が読取り領域６０にかざされると、接近センサ７５によりかざし動作を検知する（ＳＴ３）。かざし動作が検知されると、ＣＰＵ２００は、面発光部６６の発光輝度を上げ、かざされた券媒体を照明する。ここでは、面発光部６６の発光色を通常色の青から輝度の高い白に変更する（ＳＴ４）。
【００３８】
この状態で、無線リーダー／ライタ６２およびバーコードリーダー６４によって券媒体を読取り、改札情報を取得（ＳＴ５）した後、投入口２のシャッター７０を閉じ（ＳＴ６）、更に、無線リーダー／ライタ６２およびバーコードリーダー６４による読取りを禁止する（ＳＴ７）。これにより、次の利用者による改札機１００の利用を規制する。ＣＰＵ２００は、券媒体から読取った改札情報に基づいて、かざされた券媒体が無線式の第１券媒体であるか否か（ＳＴ８）、また、２次元バーコードが記載された第２券媒体であるか否かを判別する（ＳＴ９）。すなわち、ＣＰＵ２００は、無線リーダー／ライタ６２により券媒体から改札情報が読取れた場合、第１券媒体であると判別し、読取った改札情報に基づいて無線媒体改札処理を行い（ＳＴ１０）、通過可能であるか否か判定する（ＳＴ１１）。また、ＣＰＵ２００は、バーコードリーダー６４により券媒体から２次元バーコードに基づく改札情報が読取れた場合、第２券媒体であると判別し、読取った改札情報に基づいて無線媒体改札処理を行い（ＳＴ１２）、改札機を通過可能であるか否か判定する（ＳＴ１１）。
【００３９】
ＣＰＵ２００は、第２券媒体であると判別した際、２次元バーコードの読取りエラーの有無を検出し（ＳＴ１２）、読取りエラーが生じた場合、再度、バーコードリーダー６４により券媒体の２次元バーコードを読取る（ＳＴ１３）。この際、ＣＰＵ２００は、ＳＴ３において接近センサ７５によって券媒体のかざし動作を検知している場合、一度目の読取りから再読取り開始までの時間を通常よりも短縮し、再読取りを実行する。
【００４０】
２次元バーコードが正しく読取られた場合、ＣＰＵ２００は、２次元バーコードから読取った改札情報に基づいてバーコード媒体改札処理を行い（ＳＴ１４）、改札機を通過可能であるか否か判定する（ＳＴ１１）。通過判定が許可の場合、ＣＰＵ２００はドア９０を開放し（ＳＴ１５）利用者の通過を許容するとともに、表示部５に通過可能である旨の案内表示を行う（ＳＴ１６）。
【００４１】
一方、ＳＴ８およびＳＴ９において、無線リーダー／ライタ６２およびバーコードリーダー６４によって読取られた媒体が、第１券媒体および第２券媒体のいずれでもないと判別した場合、並びに、ＳＴ１１において通過判定が不可となった場合、ＣＰＵ２００は、ドア９０を閉じて（ＳＴ１７）利用者の通過を禁止するとともに表示灯４を点灯させる（ＳＴ１８）。更に、ＣＰＵ２００は、スピーカ７により通過判定ＮＧの内容を音声にて、利用者に案内する（ＳＴ１９）とともに、表示部５に通過判定ＮＧの内容を表示する（ＳＴ２０）。
【００４２】
その後、ＣＰＵ２００は、通過検知器９の出力信号に基づき、利用者が改札機１００の外に出たか否かを検知し（ＳＴ２１）、出ている場合には、表示灯４を消灯（ＳＴ２２）、音声案内終了（ＳＴ２３）、表示部５への案内表示終了（ＳＴ２４）、ドア９０を開放（ＳＴ２５）、シャッター７０を開放（ＳＴ２６）、読取り部６による読取り許可（２７）を順次行う。以後、改札機は、次の利用者の待機状態となる。
【００４３】
次に、ＳＴ２において、２次元バーコードが記載されている第２券媒体が改札機１００の投入口２に投入された場合の処理について説明する。  
図１１に示すように、利用者が第２券媒体を投入口２から改札機１００内に挿入すると、ＣＰＵ２００は、センサ４０からの出力信号に基づき、シャッター７０を閉じて投入口２を閉塞し（ＳＴ２８）、読取り部６の読取りを禁止する（ＳＴ２９）とともに、メインモータ５０を駆動して第２券媒体を搬送する（ＳＴ３０）。挿入された第２券媒体は、整列部３２にて所定の姿勢に整位され（ＳＴ３１）、その後、表裏判定部３３にて第２券媒体の表裏が判定される（ＳＴ３２）。なお、例えば、表裏判定部３３に設けられたセンサ４１または４２を色判別センサとし、また、第２券媒体の表裏が異なる色に形成しておくことにより、第２券媒体の表裏を判定することができる。
【００４４】
裏と判定された場合、ＣＰＵ２００は、振り分けゲート２５を駆動して第２券媒体を反転ポケット２９に搬送し、その後、反転ポケット２９を駆動して第２券媒体を主搬送部に戻し、表裏反転する（ＳＴ３３）。表と判定された場合、第２券媒体はそのままの状態で後段の読取部３６に搬送される。これにより、第２券媒体は、読取部３６に搬送される際、投入時の表裏係わらず、常に表となっている。
【００４５】
第２券媒体が読取部３６に搬送されると、ＣＰＵ２００は第２券媒体の移動を停止し、スキャナ２１と対向する位置に第２券媒体を一時的に保留する（ＳＴ３４）。この状態で、スキャナ２１により第２券媒体の２次元バーコードを読取る（ＳＴ３５）。確実に読み取れる位置で第２券媒体を停止させることにより、スキャナ２１による２次元バーコードの読取性能を安定化させることができる。また、第２券媒体を停止させずに、第２券媒体の搬送速度を減速して搬送する構成としてもよい。
【００４６】
続いて、ＣＰＵ２００は、２次元バーコードから読取った情報に基づいて、改札機１００を通過可能であるか否かの通過判定をする（ＳＴ３６）。通過判定許可の場合、ＣＰＵ２００はドア９０を開放して（ＳＴ３７）利用者の通過を許容し、表示器５に案内を表示するとともに第２券媒体の保留を解除し搬送を開始する（ＳＴ３８）。ＣＰＵ２００は、通過判定結果に伴い、第２券媒体に情報を印刷する必要があるか否か判断し（ＳＴ３９）、必要な場合は、サーマルヘッド２７により、所望の情報を第２券媒体の券面に印字する（ＳＴ４０）。
【００４７】
その後、ＣＰＵ２００は、第２券媒体を排出するか集札するか判断し（ＳＴ４１）、集札する場合、振り分けゲート２６を駆動して第２券媒体を集札箱３５に搬送する（ＳＴ４２）。この時、確実に集札されたかどうかはセンサ４６により検知する。その後、メインモータ５０を停止する（ＳＴ４３）。
【００４８】
ＳＴ４１において、第２券媒体を放出する場合、第２券媒体を放出部３８に搬送し排出口３から排出する（ＳＴ４９）。更に、ＣＰＵ２００は、メインモータ５０を停止した後（ＳＴ５０）、センサ４７の信号出力に基づいて第２券媒体が排出口３から抜き取られたか否かを検知し（ＳＴ５１）、抜き取られている場合には、通過検知器９の信号出力に基づいて、利用者が改札機から外に出たか否かを判断する（ＳＴ５２）。
【００４９】
一方、ＳＴ３６において通過判定が不可となった場合、ＣＰＵ２００は、ドア９０を閉じて（ＳＴ４４）利用者の通過を禁止し、第２券媒体の保留を解除して搬送を開始する（ＳＴ４５）とともに表示灯４を点灯させる（ＳＴ４６）。更に、ＣＰＵ２００は、スピーカ７により通過判定ＮＧの内容を音声にて、利用者に案内する（ＳＴ４７）とともに、表示部５に通過判定ＮＧの内容を表示する（ＳＴ４８）。以後、ＳＴ４９に続き、第２券媒体を排出口３へ放出する。
【００５０】
以上のように構成された読取り部を備える改札機および改札方法によれば、２種類の非接触式券媒体として、無線式の第１券媒体およびバーコードを有した第２券媒体を用いて効率良く改札処理を行うことができ、改札機のコスト低減を図ることが可能となる。また、第１券媒体から情報を読取る無線リーダー／ライタの読取り部に設けられた開口部にバーコードリーダーの読取り部を配置することにより、読取り部をコンパクトな構成として改札機全体の小型化を図ることができる。同時に、利用者に対して、券媒体をかざす目標領域が単一となり、利便性の向上および誤操作の防止を図ることができる。更に、読取り部に面発光部を設けることにより、読取り部を強調し、利用者に読取り領域を明示することができ、操作性の一層の向上を図ることが可能となる。第２券媒体の読取り時、面発光部により第２券媒体を照明することにより、読取り性能を安定させ信頼性向上を図ることが可能となる。
【００５１】
なお、この発明は、上記実施形態そのままに限定されるものではなく、その実施の段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【００５２】
例えば、上述した実施の形態では、改札機はドア、第２券媒体の取込み、搬送機構等を備えた構成としたが、この発明はこれに限らず、図１２に示すような簡易型の改札機にも適用可能である。この改札機は、脚８２により支持された箱状の機器本体１を備えている。機器本体１には、読取り装置としての読取り部６、座席案内プリンタ８０、これらの動作を制御する図示しない制御部が設けられている。読取り部６は、無線リーダー／ライタ６２、バーコードリーダー６４、および面発光部６６を備え、前述した実施形態の読取り部と同様に構成されている。座席案内プリンタ８０は、読取り部６によって読取られた情報に基づいて、座席案内を紙媒体に印字し、利用者に出力する。
【００５３】
上記のように構成された簡易型の改札機においても、無線式の第１券媒体およびバーコードを有した第２券媒体を用いて効率良く改札処理を行うことができ、改札機のコスト低減を図ることができる。
【００５４】
以上、本発明を実施形態を参照して詳細に説明した。本発明の容易な理解のために、本発明の具体的な形態を以下に付記する。  
（付記１）  通信部を有する第１券媒体がかざされる第１読取り部を備え、前記第１券媒体との間で無線通信を行い第１券媒体から改札情報を読取る無線リーダー／ライタと、  
改札情報に対応したバーコードを有する第２券媒体がかざされる第２読取り部を備え、前記第２券媒体からバーコードに応じた改札情報を読取るバーコードリーダーと、  
前記バーコードリーダーまたは無線リーダー／ライタにより読み取られた改札情報に基づいて改札処理を行う改札手段と、を具備し、  
前記無線リーダー／ライタの第１読取り部は開口部を有し、前記バーコードリーダーの第２読取り部は、前記第１読取り部の開口部内に設けられている改札機。
【００５５】
（付記２）  前記無線リーダー／ライタは、前記開口部を除いて前記第１読取り部に重ねて設けられ、前記第１読取り部および第２読取り部を照明する面発光部を備えている付記１に記載の改札機。  
（付記３）  前記無線リーダー／ライタは、前記第１読取り部に設けられているとともに前記開口部の周囲に位置したループ状のアンテナを備えている付記１又は２に記載の改札機。
【００５６】
（付記４）  前記第２読取り部の周囲に設けられ、前記第２読取り部への前記第２券媒体の接近を検知する接近センサと、  
前記接近センサの検知に基づいて、前記第２券媒体の前記第２読取り部へのかざし動作を検知し、前記第２券媒体の読取りエラーが生じた際、前記かざし動作の検知に応じて再度、前記バーコードリーダーにより前記第２券媒体を読取る制御部と、を備えている付記１ないし３のいずれか１に記載の改札機。
【００５７】
（付記５）  前記第２読取り部の周囲に設けられ、前記第２読取り部への前記第２券媒体の接近を検知する接近センサと、  
前記接近センサの検知に基づいて、前記第２券媒体の前記第２読取り部へのかざし動作を検知し、前記かざし動作の検知に応じて、前記面発光部の輝度を上げて前記第２券媒体を照明する制御部と、を備えた付記２に記載の改札機。  
（付記６）  前記第２読取り部は、前記第１読取り部から外方へ突出して設けられている付記１に記載の改札機。
【００５８】
（付記７）  機器本体と、  
機器本体の外面に露出して位置し、通信部を有する第１券媒体および改札情報に対応したバーコードを有する第２券媒体がかざされる読取り領域と、  
前記読取り領域に設けられているとともに開口部を有した第１読取り部を備え、前記第１券媒体との間で無線通信を行い第１券媒体から改札情報を読取る無線リーダー／ライタと、  
前記読取り領域内で前記第１読取り部の開口部に設けられた第２読取り部を有し、前記第２券媒体からバーコードに応じた改札情報を読取るバーコードリーダーと、  
前記バーコードリーダーまたは無線リーダー／ライタにより読み取られた改札情報に基づいて改札処理を行う改札手段と、を具備した改札機。
【００５９】
（付記８）  通信部を有する第１券媒体および改札情報に対応したバーコードを有する第２券媒体を用いて改札処理を行う改札方法であって、  
読取り領域に設けられた第１読取り部にかざされた第１券媒体との間で無線通信を行い前記第１券媒体から改札情報を読取り、  
前記第１読取り部に設けられた開口部内で前記読取り領域に位置した第２読取り部にかざされた第２券媒体からバーコードに応じた改札情報を読取り、  
前記第１券媒体または第２券媒体から読取った改札情報に基づいて改札処理を行う改札方法。
【００６０】
（付記９）  前記読取り領域を照明して表示する付記８に記載の改札方法。  
（付記１０）  前記読取り領域にかざされた第１あるいは第２券媒体を検知し、  
前記券媒体の検知に応じて、前記読取り領域の照明輝度を上げ前記検知された第１あるいは第２券媒体を照明する付記９に記載の改札機。
【００６１】
（付記１１）  前記読取り領域にかざされた第１あるいは第２券媒体を検知し、  
前記第２券媒体の読取りエラーが生じた際、前記第２券媒体の検知に応じて再度、前記第２券媒体のバーコードを読取る付記８に記載の改札機。
【００６２】
(付記１２)  無線通信部を有する第１券媒体、および情報に対応した２次元コードを有する第２券媒体がかざされる読み取り領域を有する読取り装置において、  
前記読取り領域に設けられ第１読取り部を形成する上面とこの上面に開口する開口部とを有する本体と、前記本体内で前記開口部の周囲に設けられたループ状の無線アンテナと、を有し、前記第１券媒体との間で無線通信を行い第１券媒体から情報を読取る無線リーダーと、  
前記読取り領域内で前記第１読取り部の開口部に設けられた第２読取り部と、前記開口部および第２読取り部を通して第２券媒体に光を照射する光源と、を有し、第２読取り部を通して前記第２券媒体から２次元コードに応じた情報を読取る２次元コードリーダーと、  
前記第２読取り部への第２券媒体の接近を検知する接近センサと、を備え、  
前記接近センサによる前記第２券媒体の接近検知に基づいて前記２次元コードリーダーによる読取りを行う読取り装置。
【００６３】
（付記１３）  前記第２券媒体の接近検知は、前記第２券媒体の前記第２読取り部へのかざし動作に基づくものである付記１２に記載の読取り装置。
【００６４】
（付記１４）  前記接近センサは、前記第２読取り部に設けられている付記１２又は１３に記載の読取り装置。
【００６５】
（付記１５）  前記接近センサは、前記第２読取り部の周囲に設けられている付記１２ないし１４のいずれかに記載の読取り装置。
【００６６】
（付記１５）  前記接近センサは、前記第２読取り部の前記第２券媒体が接近する方向の端部に設けられている付記１２ないし１５のいずれかに記載の読取り装置。
【００６７】
（付記１７）  前記接近センサは、第２読取り部の４隅の少なくとも１つに設けられている付記１２ないし１６のいずれかに記載の読取り装置。
【００６８】
（付記１８）  前記接近センサは、前記第２読取り部の４隅に設けられている付記１２ないし１６のいずれかに記載の読取り装置。
【００６９】
（付記１９）  前記開口部の上方に設けられ透明なカバー板を備えている付記１２ないし１８のいずれかに記載の読取り装置。
【００７０】
（付記２０）  前記アンテナは、前記本体の周縁部に沿って設けられている付記１２ないし１９のいずれかに記載の読取り装置。
【００７１】
（付記２１）  前記本体は、合成樹脂により形成されている付記１２ないし２０のいずれかに記載の読取り装置。
【００７２】
（付記２２）  前記接近センサの検知に基づいて、前記読取り領域を発光させる発光部を有する付記１２ないし２１のいずれかに記載の読取り装置。
【００７３】
（付記２３）  前記発光部は、面発光部である付記２２に記載の読取り装置。
【００７４】
（付記２４）  前記面発光部は、前記開口部を除いた領域に設けられている付記２３に記載の読取り装置。
【００７５】
（付記２５）  前記面発光部は、赤、青、緑のいずれかに発光可能である付記２１又は２２に記載の読取り装置。
【００７６】
（付記２６）  前記２次元コードリーダーあるいは前記無線リーダーに読み取られた情報を処理する制御部を備えている付記１２ないし２５のいずれかに記載の読取り装置。
【００７７】
（付記２７）  前記２次元コードリーダーあるいは前記無線リーダーに読み取られた情報を出力する制御部を備えている付記１２ないし２６のいずれかに記載の読取り装置。
【００７８】
（付記２８）  前記出力される情報は、利用者の改札結果に基づく改札情報である付記２７に記載の読取り装置。
【００７９】
（付記２９）  無線通信部を有する第１券媒体、および情報に対応した２次元コードを有する第２券媒体がかざされる読み取り領域を有する読取り装置を備える改札機において、  
前記読取り領域に設けられ第１読取り部を形成する上面とこの上面に開口する開口部とを有する本体と、前記本体内で前記開口部の周囲に設けられたループ状の無線アンテナと、を有し、前記第１券媒体との間で無線通信を行い第１券媒体から情報を読取る無線リーダーと、  
前記読取り領域内で前記第１読取り部の開口部に設けられた第２読取り部と、前記開口部および第２読取り部を通して第２券媒体に光を照射する光源と、を有し、第２読取り部を通して前記第２券媒体から２次元コードに応じた情報を読取る２次元コードリーダーと、  
前記第２読取り部への第２券媒体の接近を検知する接近センサと、を備え、  
前記接近センサによる前記第２券媒体の接近検知に基づいて前記２次元コードリーダーによる読取りを行い、この読取り結果に基づいて改札処理を行う改札機。
【００８０】
（付記３０）  前記改札機本体に設けられ、前記読取られた情報に基づき改札結果を表示する表示部を備える付記２９に記載の改札機。
【符号の説明】
【００８１】
１…機器本体、５…表示部、６…読取り部（読取装置）、  １１、２００…ＣＰＵ、
６２…無線リーダー／ライタ、  ６４…バーコードリーダー、  ６５…開口部、
６６…面発光部、  ６８…アンテナ、６７ａ…第１読取り部、  ７２…第２読取り部、  ７５…接近センサ、
【図１】
0005398899.tif 000002
【図２】
0005398899.tif 000003
【図３】
0005398899.tif 000004
【図４】
0005398899.tif 000005
【図５】
0005398899.tif 000006
【図６】
0005398899.tif 000007
【図７】
0005398899.tif 000008
【図８】
0005398899.tif 000009
【図９】
0005398899.tif 000010
【図１０】
0005398899.tif 000011
【図１１】
0005398899.tif 000012
【図１２】
0005398899.tif 000013